(57)【要約】      【課題】  設置状態に拘わらず操作性が低下しない操作部を備えた電子内視鏡用プロセッサを提供する。      【解決手段】  撮像素子を有した電子内視鏡に接続され、当該撮像素子によって取得された信号をモニタで表示可能な形式に変換するものであって、所定の操作を行うためのタッチパネルと、操作用画像を表示する表示部とを有したタッチパネル付き表示部と、自身の設置状態を検知する設置状態検知手段と、検知された設置状態に応じて、表示すべき操作用画像の形態を設定し且つその形態に合わせてタッチパネルを制御する制御手段とを有したことを電子内視鏡用プロセッサを提供する。【選択図】      図４
2007267929.tif 000002
【特許請求の範囲】
【請求項１】
撮像素子を有した電子内視鏡に接続され、当該撮像素子によって取得された信号をモニタで表示可能な形式に変換する電子内視鏡用プロセッサにおいて、
所定の操作を行うためのタッチパネルと、操作用画像を表示する表示部とを有したタッチパネル付き表示部と、
自身の設置状態を検知する設置状態検知手段と、
検知された設置状態に応じて、表示すべき操作用画像の形態を設定し且つその形態に合わせて前記タッチパネルを制御する制御手段と、を有したこと、を特徴とする電子内視鏡用プロセッサ。
【請求項２】
前記タッチパネル付き表示部が前記設置状態検知手段を有したこと、を特徴とする請求項１に記載の電子内視鏡用プロセッサ。
【請求項３】
少なくとも前記タッチパネル付き表示部を保持するハウジングを更に有し、
前記ハウジングに前記設置状態検知手段を取り付けたこと、を特徴とする請求項１に記載の電子内視鏡用プロセッサ。
【請求項４】
前記設置状態検知手段が、前記ハウジング内部に取り付けられたジャイロセンサ、又は、前記ハウジング外部に取り付けられた圧力検知センサの何れか一方であること、を特徴とする請求項３に記載の電子内視鏡用プロセッサ。
【請求項５】
撮像素子を有した電子内視鏡と、
前記電子内視鏡に接続された、請求項１から請求項４の何れかに記載の電子内視鏡用プロセッサと、
前記電子内視鏡用プロセッサに接続され、該変換された信号に基づいて画像を表示するモニタと、を備えたこと、を特徴とする電子内視鏡システム。
【発明の詳細な説明】
【技術分野】
【０００１】
この発明は、撮像素子を有した電子内視鏡に接続され、当該撮像素子によって取得された信号をモニタで表示可能な形式に変換する電子内視鏡用プロセッサ、及び、このような電子内視鏡用プロセッサを備えた電子内視鏡システムに関する。
【背景技術】
【０００２】
撮像素子を有した電子内視鏡が接続され、当該撮像素子によって取得された信号を所定の形式に変換してモニタに出力する電子内視鏡用プロセッサが広く知られ実用に供されている（例えば特許文献１）。このような電子内視鏡用プロセッサには、一般に、電子内視鏡システムを操作するための操作パネルがそのフロント部分に備えられている。
【特許文献１】特開平１１−４２２１１号公報
【発明の開示】
【発明が解決しようとする課題】
【０００３】
上記特許文献１に示されたものを始めとする種々の電子内視鏡用プロセッサは、比較的大型であるため、診断室内等の限られたスペースに合わせて種々の状態で設置されることが想定される。
【０００４】
しかしながら例えば縦置きを想定して設計された電子内視鏡用プロセッサを横置きにした場合、逆に、横置きを想定して設計された電子内視鏡用プロセッサを縦置きにした場合、その設置状態における操作パネルの向きが本来見込まれていた向きと異なるため、例えば操作性を考慮して各種スイッチが配列された操作パネルにおいてはその操作性が低下する恐れがある。
【０００５】
そこで、本発明は上記の事情に鑑み、設置状態に拘わらず操作性が低下しない操作部を備えた電子内視鏡用プロセッサ、及び、このような電子内視鏡用プロセッサを備えた電子内視鏡システムを提供することを目的とする。
【課題を解決するための手段】
【０００６】
上記の課題を解決する本発明の一態様に係る電子内視鏡用プロセッサは、撮像素子を有した電子内視鏡に接続され、当該撮像素子によって取得された信号をモニタで表示可能な形式に変換するものであり、所定の操作を行うためのタッチパネルと、操作用画像を表示する表示部とを有したタッチパネル付き表示部と、自身の設置状態を検知する設置状態検知手段と、検知された設置状態に応じて、表示すべき操作用画像の形態を設定し且つその形態に合わせてタッチパネルを制御する制御手段とを有したことを特徴とする。
【０００７】
なお、上記電子内視鏡用プロセッサは、タッチパネル付き表示部が設置状態検知手段を有したものであっても良い。
【０００８】
また、上記電子内視鏡用プロセッサは、タッチパネル付き表示部を保持するハウジングを更に有し、そのハウジングに設置状態検知手段を取り付けたものであっても良い。このような場合、設置状態検知手段が、ハウジング内部に取り付けられたジャイロセンサ、又は、ハウジング外部に取り付けられた圧力検知センサの何れか一方であっても良い。
【０００９】
上記の課題を解決する本発明の一態様に係る電子内視鏡システムは、撮像素子を有した電子内視鏡と、電子内視鏡に接続された上記電子内視鏡用プロセッサと、電子内視鏡用プロセッサに接続され、該変換された信号に基づいて画像を表示するモニタとを備えたことを特徴とする。
【発明の効果】
【００１０】
本発明の電子内視鏡用プロセッサ、及び、電子内視鏡システムを採用すると、プロセッサの設置状態に合わせて操作用画像の表示形態が変更され得る。このため、設置状態に拘わらず、操作性の高い形態で操作用画像を常時表示させることが可能となる。従って術者は、タッチパネル付き表示部の操作を高い操作性で快適に行うことができる。
【発明を実施するための最良の形態】
【００１１】
図１は、本発明の実施の形態の電子内視鏡システム１０の構成を概略的に示した図である。以下、図面を参照して、本実施の形態の電子内視鏡システム１０の構成及び作用について説明する。
【００１２】
本実施の形態の電子内視鏡システム１０は、患者の体腔内を術者が観察・診断するためのシステムであり、体腔内を撮像する電子内視鏡１００、システム全体に係る処理等を実行するプロセッサ２００、及び、電子内視鏡１００によって撮像された映像を表示するモニタ３００を備えている。
【００１３】
電子内視鏡１００は、挿入部可撓管１１０、先端部１２０、操作部１３０、コネクタユニット１４０、及び、ユニバーサルコード１５０を有している。挿入部可撓管１１０は、体腔内に挿入される可撓性を有した管である。先端部１２０は挿入部可撓管１１０の先端に形成されており、その内部には撮像処理に必要とされる各種部品が備えられている。操作部１３０は術者が各種操作をするためのものであり、このような操作には、例えば先端部１２０近傍の湾曲部（不図示）を屈曲させて当該先端部１２０の方向を変えるものが挙げられる。コネクタユニット１４０は、電子内視鏡１００とプロセッサ２００とを電気的及び光学的に接続させる接続部を有している。ユニバーサルコード１５０は、可撓性を有しており、操作部１３０とコネクタユニット１４０とを繋いでいる。
【００１４】
プロセッサ２００は、直方体状のハウジング２１０を有し、その前面に、接続部２１２、電源スイッチ２１４、及び、操作パネル２２０を備えている。接続部２１２は、コネクタユニット１４０の接続部の差し込み口であり、電子内視鏡１００とプロセッサ２００とを電気的且つ光学的に接続することができる。電源スイッチ２１４は、プロセッサ２００の電源を投入するためのスイッチである。これがオンされると、電源スイッチ２１４から制御部２３０（後述）に信号が出力され、プロセッサ２００が起動する。操作パネル２２０は、術者が各種操作をするためのタッチパネル付き表示部である。なお、その表示領域のアスペクト比は、図１では例えば４：３（横：縦）となっているが、別の実施の形態では別の値であっても良い。上記横の方向はプロセッサ２００前面の長手方向と一致し、上記縦の方向はそれに直交した方向に一致する。
【００１５】
プロセッサ２００の下面２１０Ｌは、上記横方向と平行な面であることから、その面積が比較的広い。これに対して、プロセッサ２００の側面２１０Ｓは、上記縦方向と平行な面であり且つハウジング２１０が直方体である（すなわち紙面と直交するプロセッサ２００の奥行き方向に関して下面と同一の辺長さを有している）ことから、その面積が下面２１０Ｌと比較すると狭い。
【００１６】
プロセッサ２００の下面２１０Ｌ、側面２１０Ｓには、複数の滑り止めゴム足２１６、２１８がそれぞれ取り付けられている。プロセッサ２００は、通常、カート等に形成された載置面（図１の載置面１）に、上記滑り止めゴム足が接地するように設置される。これらの滑り止めゴム足は、摩擦係数の高いゴム材を成型したものであるため、載置面１に対するプロセッサ２００本体の滑りを防止することができる。図１では、滑り止めゴム足２１６を載置面１に接地させるようプロセッサ２００を設置している。以下、このような設置状態を、上記横方向と平行な下面２１０Ｌを底面としている（又はプロセッサ２００の長手方向が載置面１と平行であり、プロセッサ２００が載置面１に横たわるよう設置されている）ことから「横置き」と称する。また図２に、図１とは別の状態でプロセッサ２００を設置した電子内視鏡システム１０を示す。図２では、滑り止めゴム足２１８を載置面１に接地させるようプロセッサ２００を設置している。以下、このような設置状態を、上記縦方向と平行な側面２１０Ｓを底面としている（又はプロセッサ２００の長手方向が載置面１と直交し、プロセッサ２００が載置面１に対して直立するよう設置されている）ことから「縦置き」と称する。
【００１７】
ハウジング２１０内部には、主たる構成として、接続部２１２を介して入力された電子内視鏡１００からの信号を処理してモニタ３００で表示され得る信号に変換する信号処理部、及び、接続部２１２を介して電子内視鏡１００に供給される体腔内照明用の光を放射する光源部が備えられている。
【００１８】
ここで、図３に、本発明の実施の形態の電子内視鏡システム１０の構成をブロックで示す。
【００１９】
プロセッサ２００は、装置全体の制御を統括的に行う制御部２３０を有しており、これによる制御下で各種処理を実行する。また、光源装置として、ランプ２４２、集光レンズ２４４、及び、ランプ制御回路２４６を有している。ランプ２４２は、体腔内照射用の白色光の光源であり、例えばメタルハライドランプや、キセノンランプ、ハロゲンランプ等が想定される。ランプ２４２はランプ制御回路２４６の制御により発光し、その光は、前方に設置された集光レンズ２４４によって集光され、接続部２１２を介して電子内視鏡１００内部に入射する。
【００２０】
電子内視鏡１００内部には、コネクタユニット１４０の接続部から先端部１２０に掛けて延在した、観察対象に光を導き得るライトガイド１２２が設けられている。ライトガイド１２２の一端は、コネクタユニット１４０の接続部の一部であり、当該コネクタユニット１４０が接続部２１２に差し込まれている状態で集光レンズ２４４前方に位置する。また、ライトガイド１２２のもう一端は、先端部１２０の前面に設けられた配光レンズ１２４と結合している。従って、集光レンズ２４４により集光された上記光は、ライトガイド１２２に入射してその内部を進行し、配光レンズ１２４を介して内視鏡の外部を照明して、術者は体腔内の観察・診断或いは処置を行うことができる。
【００２１】
配光レンズ１２４から照射された照明光は、観察対象である生体組織を照明し、当該組織で反射される。この反射光は、先端部１２０前面に設けられた対物レンズ１２６に入射する。この入射光は、対物レンズ１２６のパワーにより、その後方に配置された固体撮像素子１２８の受光面（複数の受光素子がマトリクス状に配列された面）上に、観察対象（例えば体腔内の生体組織）の光学像として結像される。結像された光学像は、各受光素子においてその受光光量に応じた電荷として蓄積されて生体組織の像となり得る画像信号に変換される。固体撮像素子１２８の後方には、当該固体撮像素子１２８を駆動制御する駆動回路１２９が設置されている。ここで生成された画像信号は、駆動回路１２９の駆動制御によって出力され、挿入部可撓管１１０に沿って配線された信号線を伝送し、コネクタユニット１４０及び接続部２１２を介してプロセッサ２００内の信号処理回路に入力される。
【００２２】
次に、プロセッサ２００における信号処理回路について説明する。プロセッサ２００は、画像信号の処理を行う手段として、画像処理信号回路２５２、アンプ２５４、メモリ２５６、及び、映像信号処理回路２５８を有している。
【００２３】
接続部２１２に入力された画像信号は、画像処理信号回路２５２に入力し、ここでサンプリング・ホールド処理、Ａ／Ｄ変換等の処理を経て、更に、Ｒ（Red）成分、Ｇ（Green）成分、及び、Ｂ（Blue）成分の各色成分の信号に色分離処理されてアンプ２５４に出力される。
【００２４】
アンプ２５４は、Ｒ成分の信号を増幅するアンプ２５４Ｒ、Ｇ成分の信号を増幅するアンプ２５４Ｇ、及び、Ｂ成分の信号を増幅するアンプ２５４Ｂを有している。画像信号処理回路２５１から出力された各色成分の信号は、それぞれ対応するアンプに入力してその強度（信号レベル）が増幅され、メモリ２５６に出力される。
【００２５】
メモリ２５６は、Ｒ成分の信号を格納するメモリ２５６Ｒ、Ｇ成分の信号を格納するメモリ２５６Ｇ、及びＢ成分の信号を格納するメモリ２５６Ｂを有している。アンプ２５４から出力された各色成分の信号は、それぞれ対応するメモリに格納される。そして各メモリに格納された各色成分の信号は、制御部２３０の制御によって、メモリ２５６Ｒ、２５６Ｇ、及び、２５６Ｂの各々から所定のタイミングで同時に読み出しされ、映像信号処理回路２５８に出力されて映像信号（例えばコンポジットビデオ信号やＳビデオ信号或いはＲＧＢビデオ信号など）に変換され、モニタ３００で映像として表示される。
【００２６】
次に、操作パネル２２０について説明する。本実施の形態の操作パネル２２０では、主として、モニタ３００に出力される映像の輝度や色合い等を調整することができる。なお、操作パネル２２０の操作前後における映像の変化に関して以下に説明するが、これは、同一対象物を同一条件（例えば照明光量など）で観察していることを前提とする。
【００２７】
操作パネル２２０は、例えば周知の抵抗膜方式のタッチパネル２２２、タッチパネル２２２に積層された、所定の操作用画像を表示するＬＣＤ（Liquid Crystal Display）２２４、及び、ＬＣＤ２２４で表示される操作用画像データが保存されたメモリ２２６を有している。
【００２８】
プロセッサ２００のタッチパネル２２は、例えば、透過性を有し且つ互いの対向面に透明導電物質であるＩＴＯ（Indium Tin Oxide）が成膜された二枚のフィルム面、及び、これらを分離させるスペーサを有している。例えば術者がプロセッサ２００外部側のフィルム面をタッチすると、その押圧力で両フィルム面のＩＴＯ膜が接触して導通する。制御部２３０が、このときのそれぞれのＩＴＯ膜の抵抗による分圧比を周知の方法で測定し、その測定結果に基づいてフィルム面中のタッチ位置を検出する。ＬＣＤ２２４は、プロセッサ２００内部側のフィルム面に隣接して積層されるよう配置されている。制御部２３０は、操作用画像データをメモリ２２６から読み出し、それに基づいてＬＣＤ２２４を制御する。これにより、ＬＣＤ２２４に操作用画像が表示される。表示された画像は、透明部材を積層させたタッチパネル２２２を透過するため、術者に視認され得る。なお、タッチパネル２２２は、抵抗膜方式を採用したものに限らず、例えば赤外線方式や、アナログ容量結合方式、超音波方式、画像認識方式を採用したものであっても良い。
【００２９】
図４（ａ）は、プロセッサ２００を「横置き」にしたときに操作パネル２２０で表示され得る操作用画像を示したものである。操作パネル２２０には、操作アイコンＢｒＵ、ＢｒＤ、ＲＵ、ＲＤ、ＢＵ、ＢＤ、及び、ｃｈが表示される。なお、メモリ２２６には、操作用画像データに加え、そのデータに基づいて表示される各操作アイコンの位置に対応した上記フィルム面中の位置データが保存されている。従って制御部２３０は、検出されたタッチ位置と前記の位置データとを参照することにより、何れの操作アイコンがタッチされたかを判別することができる。
【００３０】
操作アイコンＢｒＵは、モニタ３００に表示され得る映像の輝度レベルを上げるためのものであり、プロセッサ２００上面側を指した矢印で示されている。操作アイコンＢｒＤは、モニタ３００に表示され得る映像の輝度レベルを下げるためのものであり、プロセッサ２００下面側を指した矢印で示されている。例えば術者が操作アイコンＢｒＵをタッチした場合、制御部２３０は、駆動回路１２９を制御して、操作アイコンＢｒＵのタッチ回数に応じて固体撮像素子１２８の電子シャッタスピードを段階的に遅くする（すなわち各受光素子の露光時間を長くする）。これにより、各受光素子における受光量が増加して画像信号の輝度レベルが上がり、その結果、モニタ３００に表示される映像が、操作アイコンＢｒＵ操作前と比較して明るくなる。
【００３１】
また、例えば術者が操作アイコンＢｒＤをタッチした場合、制御部２３０は、駆動回路１２９を制御して、操作アイコンＢｒＤのタッチ回数に応じて固体撮像素子１２８の電子シャッタスピードを段階的に速くする（すなわち各受光素子の露光時間を短くする）。これにより、各受光素子における受光量が減少して画像信号の輝度レベルが下がり、その結果、モニタ３００に表示される映像が、操作アイコンＢｒＤ操作前と比較して暗くなる。
【００３２】
操作アイコンＲＵは、モニタ３００に表示され得る映像のＲ成分のレベルを上げるためのものであり、プロセッサ２００上面側を指した矢印で示されている。操作アイコンＲＤは、モニタ３００に表示され得る映像のＲ成分のレベルを下げるためのものであり、プロセッサ２００下面側を指した矢印で示されている。例えば術者が操作アイコンＲＵをタッチした場合、制御部２３０は、アンプ２５４Ｇ及び２５４ＢにおけるＧ及びＢ成分の信号の増幅率に対し、操作アイコンＲＵのタッチ回数に応じてアンプ２５４ＲにおけるＲ成分の信号の増幅率を段階的に上昇させる。これにより、Ｒ成分の信号出力値のみが上昇され、モニタ３００に表示される映像が、操作アイコンＲＵ操作前と比較して赤みがかったものとなる。
【００３３】
また、例えば術者が操作アイコンＲＤをタッチした場合、制御部２３０は、アンプ２５４Ｇ及び２５４ＢにおけるＧ及びＢ成分の信号の増幅率に対し、操作アイコンＲＤのタッチ回数に応じてアンプ２５４ＲにおけるＲ成分の信号の増幅率を段階的に減少させる。これにより、Ｒ成分の信号出力値のみが減少され、操作アイコンＲＤ操作前と比較して、モニタ３００に表示される映像の赤み成分が減少する。
【００３４】
操作アイコンＢＵは、モニタ３００に表示され得る映像のＢ成分のレベルを上げるためのものであり、プロセッサ２００上面側を指した矢印で示されている。操作アイコンＢＤは、モニタ３００に表示され得る映像のＢ成分のレベルを下げるためのものであり、プロセッサ２００下面側を指した矢印で示されている。例えば術者が操作アイコンＢＵをタッチした場合、制御部２３０は、アンプ２５４Ｒ及び２５４ＧにおけるＲ及びＧ成分の信号の増幅率に対し、操作アイコンＢＵのタッチ回数に応じてアンプ２５４ＢにおけるＢ成分の信号の増幅率を段階的に上昇させる。これにより、Ｂ成分の信号出力値のみが上昇され、モニタ３００に表示される映像が、操作アイコンＢＵ操作前と比較して青みがかったものとなる。
【００３５】
また、例えば術者が操作アイコンＢＤをタッチした場合、制御部２３０は、アンプ２５４Ｒ及び２５４ＧにおけるＲ及びＧ成分の信号の増幅率に対し、操作アイコンＢＤのタッチ回数に応じてアンプ２５４ＢにおけるＢ成分の信号の増幅率を段階的に減少させる。これにより、Ｂ成分の信号出力値のみが減少され、操作アイコンＢＤ操作前と比較して、モニタ３００に表示される映像の青み成分が減少する。
【００３６】
ここで、図４（ａ）で「横置き」されたプロセッサ２００を「縦置き」に変えた場合、各操作アイコンの矢印の方向が、載置面１に沿った方向を指す。すなわち信号レベルを増加又は減少させる操作アイコンの矢印が、上又は下方向（天又は地に向かう方向）とは全く別の方向を指す。このため、何れの操作アイコンを操作すると信号が増加又は減少するかが視覚的に把握し難くなり、結果的に操作性が低下する。操作アイコンｃｈは、上記操作性の低下を防止するために備えられており、操作パネル２２０の表示形態をプロセッサ２００の設置状態に合わせて変更させることができる。
【００３７】
図４（ｂ）に、プロセッサ２００を「縦置き」にしたときに操作パネル２２０で表示される操作用画像の一例を示す。操作パネル２２０の表示形態が図４（ａ）に示されたものであるときに操作アイコンｃｈがタッチされると、制御部２３０は、「縦置き」に対応した操作用画像（以下、縦置き用画像と略記、更に、図４（ａ）に示された操作用画像を横置き用画像と略記）データをメモリ２２６から読み出し、それに基づいてＬＣＤ２２４を制御する。これにより、図４（ｂ）に示された縦置き用画像（すなわち横置き用画像に対して９０度回転されたもの）がＬＣＤ２２４に表示される。制御部２３０は、更に、縦置き用画像の各操作アイコンの位置に対応した上記フィルム面中の位置データをメモリ２２６から読み出し、検出されたタッチ位置と前記の位置データとを参照することにより、何れの操作アイコンがタッチされたかを判別することができる。なお、本実施の形態では、操作パネル２２０の表示領域のアスペクト比が縦と横とで異なるため、それに伴って、縦置き用画像と横置き用画像の表示サイズも若干異なっている。
【００３８】
プロセッサ２００を「縦置き」にしたときに操作パネル２２０の表示が縦置き用画像に設定されている場合、信号レベルを増加又は減少させる操作アイコンの矢印が、上又は下方向（天又は地に向かう方向）を指す。従って何れの操作アイコンを操作すると信号が増加又は減少するかが視覚的に把握し易くなり、結果的に操作性が向上する。
【００３９】
また、操作パネル２２０の表示が縦置き用画像に設定されているときに操作アイコンｃｈがタッチされると、制御部２３０は、操作パネル２２０を制御してその表示を横置き用画像に設定する。従ってプロセッサ２００の設置状態を「縦置き」から「横置き」に再び戻してもその操作性が低下することはない。なお、操作パネル２２０の表示は、「縦置き」よりも「横置き」の方がプロセッサ２００の設置時の安定性が優れている点から、初期設定では横置き用画像に設定されている。
【００４０】
以上が本発明の実施の形態である。本発明はこれらの実施の形態に限定されるものではなく様々な範囲で変形が可能である。
【００４１】
なお、操作パネル２２０の表示形態を、本実施の形態では操作アイコンｃｈで変えるようにしているが、別の実施の形態では別の手段を用いて設定するようにしても良い。例えば滑り止めゴム足２１６及び２１８に圧力検知センサを埋設し、制御部２３０が、それによって検知される圧力に基づいてプロセッサ２００の設置状態を検知し、操作パネル２２０の表示形態を設定する。例えばプロセッサ２００を「横置き」にした場合、滑り止めゴム足２１６が載置面１と接地して当該滑り止めゴム足２１６に対して大きな圧力が掛かる。制御部２３０は、滑り止めゴム足２１６の圧力検知センサで検知される圧力に基づいてプロセッサ２００が「横置き」されていると判定し、操作パネル２２０の表示を横置き用画像に設定する。また、プロセッサ２００を「縦置き」にした場合、滑り止めゴム足２１８が載置面１と接地して当該滑り止めゴム足２１８に対して大きな圧力が掛かる。制御部２３０は、滑り止めゴム足２１８の圧力検知センサで検知される圧力に基づいてプロセッサ２００が「縦置き」されていると判定し、操作パネル２２０の表示を縦置き用画像に設定する。
【００４２】
また、ハウジング２１０内部に周知のジャイロセンサを備え、制御部２３０が、そのセンサ出力に基づいてプロセッサ２００の設置状態（「横置き」か「縦置き」か）を判定し、操作パネル２２０の表示形態を設定するようにしても良い。
【００４３】
また、例えばプロセッサ２００の前面に設けられた電源スイッチ２１４の如きメカ的なスイッチにより、操作パネル２２０の表示形態を設定するようにしても良い。
【００４４】
また、プロセッサ２００の設置状態に応じて、本実施の形態では操作パネル２２０の表示形態を変更しているが、別の実施の形態では操作アイコンの項目を変更するようにしても良い。
【００４５】
また、操作パネル２２０で操作可能なものとして本実施の形態ではモニタ３００に出力される映像の輝度や色合い等の調整が示されているが、別の実施の形態では例えばランプ２４２のオン／オフやその照明光度の調整等も操作できるようにしても良い。
【図面の簡単な説明】
【００４６】
【図１】本発明の実施の形態の電子内視鏡システムの構成を概略的に示した図である。
【図２】本発明の実施の形態の電子内視鏡システムの構成を概略的に示した図である。
【図３】本発明の実施の形態の電子内視鏡システムの構成を示したブロック図である。
【図４】本発明の実施の形態の操作パネルで表示され得る操作用画像を示したものである。
【符号の説明】
【００４７】
１０  電子内視鏡システム
１００  電子内視鏡
２００  プロセッサ
２２０  操作パネル
２３０  制御部
３００  モニタ
【図１】
2007267929.tif 000003
【図２】
2007267929.tif 000004
【図３】
2007267929.tif 000005
【図４】
2007267929.tif 000006